(57)【要約】【課題】カメラ付き折畳型携帯電話機において操作者に余計な操作を行わせることなく、筐体の開閉によってファインダーとして使用している画面の切替を可能とする。【解決手段】撮影モード時に筐体の開閉を検知する開閉検出部を用意し、開閉の検出を行うと割込信号を出力する。割込みに応じて、制御部は開閉検出部内のレジスタをチェックして開閉いずれの状況にあるかを確認する。開状態であればファインダーとして動作する表示部を第１表示部に、閉状態であれば第２表示部にすることで折畳型携帯電話機の筐体動作に応じた表示部の使用を操作者の無理なく可能とする。【選択図】      図２
2005012528.tif 000002
【特許請求の範囲】
【請求項１】
制御部と、
撮影部と、
第１表示部と、
第２表示部と、
前記第１表示部と前記第２表示部の動作を制御する表示制御部と、
第１筐体と第２筐体からなる筐体と、
前記筐体の開閉状態を検出する筐体開閉検出部を有する折畳型携帯電話機であって、
前記撮影部動作中に前記筐体の開閉を検出すると前記制御部が前記表示制御部に対して表示の切り替えを要求することを特徴とする折畳型携帯電話機。
【請求項２】
前記筐体の閉状態時に前記第２筐体と接する第１筐体の面に前記第１表示部が設けられ、
前記筐体の閉状態時に外部に露出する前記第１筐体の面に前記第２表示部が設けられることを特徴とする請求項１記載の折畳型携帯電話機。
【請求項３】
前記筐体が開状態時に前記第１表示部に表示がなされ、
前記筐体が閉状態時に前記第２表示部に表示がなされることを特徴とする請求項１ないし請求項２に記載の折畳型携帯電話機。
【請求項４】
前記表示は前記撮影部により取りこんでいる画像であることを特徴とする請求項１ないし３のいずれか一に記載の折畳型携帯電話機。
【請求項５】
制御部と、
撮影部と、
第１表示部と、
第２表示部と、
前記第１表示部と前記第２表示部の動作を制御する表示制御部と、
第１筐体と第２筐体からなる筐体と、
前記筐体の開閉状態を検出する筐体開閉検出部を有する折畳型携帯電話機であって、
前記撮影部による撮影後、前記筐体の開閉を検出すると前記制御部が前記表示制御部に対して表示の切り替えを要求することを特徴とする折畳型携帯電話機。
【請求項６】
前記筐体の閉状態時に前記第２筐体と接する第１筐体の面に前記第１表示部が設けられ、
前記筐体の閉状態時に外部に露出する前記第１筐体の面に前記第２表示部が設けられることを特徴とする請求項５記載の折畳型携帯電話機。
【請求項７】
前記筐体が開状態時に前記第１表示部に表示がなされ、
前記筐体が閉状態時に前記第２表示部に表示がなされることを特徴とする請求項５ないし請求項６に記載の折畳型携帯電話機。
【請求項８】
前記表示は前記撮影部により撮影された画像であることを特徴とする請求項５ないし７のいずれか一に記載の折畳型携帯電話機。
【発明の詳細な説明】
【０００１】
【発明の属する技術分野】
本発明は、カメラ付き折畳型携帯電話機のカメラ撮影モード（以下撮影モード）中に、筐体の開閉に伴いファインダー用画面の切替制御に関する。
【０００２】
【従来の技術】
折畳型携帯電話機は表示画面の保護、キーの誤入力防止及び表示面の大画面が容易なことから広く一般的に普及している。また、近年身の回りに起きたことなどを撮影し、電子メール等で配信することが新たなコミュニケーション手段として一般化している。この撮影機能を実現する為に、折畳型携帯電話機にもＣＭＯＳ等の撮像素子等を用いたカメラが一般的な装備となっている。
【０００３】
この撮影機能実行時に表示画面をファインダー代わりに用いることが特開２００１−１６９１６６号公報に掲載されている。また、折畳型携帯電話機の筐体を開くことによって、筐体が閉じられていた時の状況の変化に応じて表示部の表示内容を適切なものに切替える旨が特開２００２−２８１１３１号公報に記載されている。
【０００４】
【特許文献１】
特開２００１−１６９１６６号公報
【特許文献２】
特開２００２−２８１１３１号公報
【０００５】
【発明が解決しようとする課題】
しかし、これらは折畳型携帯電話機の機能を有効に活かしているとは言い難い。即ち、折畳型携帯電話機は筐体の開閉により適切な操作状態を選択できることを特徴とするが、前記特許文献２に記載された発明は、あくまでも筐体を開くことで表示内容を切替えているに過ぎず、筐体が閉じられた際にどのような動作を行うかに付いては何らの示唆もない。また、前記特許文献１記載の発明も単に表示画面をファインダーとして用いる旨が記載されているに過ぎない。
【０００６】
本発明は筐体の開閉状態に応じて、ファインダーとして使用される画面を変更する折畳型携帯電話機の提供することを目的とする。
【０００７】
【課題を解決するための手段】
本発明に係わる折畳型携帯電話機は、制御部と撮影部、第１表示部と第２表示部、第１表示部と第２表示部の動作を制御する表示制御部、第１筐体と第２筐体からなる筐体、筐体の開閉状態を検出する筐体開閉検出部を有し、前記撮影部動作中に前記筐体の開閉を検出すると前記制御部が前記表示制御部に対して表示の切り替えを要求することを特徴とする。
【０００８】
また、第１表示部は前記筐体の閉状態時に前記第２筐体と接する第１筐体の面に設けられ、第２表示部が筐体の閉状態時に外部に露出する第１筐体の面に設けられることを特徴とする。
【０００９】
更に筐体が開状態時に第１表示部に表示がなされ、筐体が閉状態時に第２表示部に表示がなされることを特徴とする。
【００１０】
加えて本発明に係わる別の折畳型携帯電話機は、制御部と撮影部、第１表示部と第２表示部、第１表示部と第２表示部の動作を制御する表示制御部、第１筐体と第２筐体からなる筐体、筐体の開閉状態を検出する筐体開閉検出部を有し、前記撮影部による撮影後、前記筐体の開閉を検出すると前記制御部が前記表示制御部に対して表示の切り替えを要求することを特徴とする。
【００１１】
また、筐体の閉状態時に第２筐体と接する第１筐体の面に第１表示部が設けられ、筐体の閉状態時に外部に露出する第１筐体の面に第２表示部が設けられることを特徴とする請求項４記載の折畳型携帯電話機。
【００１２】
更に筐体が開状態時に第１表示部に表示がなされ、筐体が閉状態時に第２表示部に表示がなされることを特徴とする。
【００１３】
【発明の実施の形態】
図１は本発明の実施の形態に係わる折畳型携帯電話機１００の電気的構成を表すブロック図であり、図２は該折畳型携帯電話機を開いた時に後方から見た斜視図である。この折畳型携帯電話機１００は電気的には撮影部１、第１表示部２、第２表示部３、シャッターキー４１を含む操作部４、制御部５、記憶部６、音声処理部７、無線部８、電源部９、開閉検出部１０、割込コントローラ１１、バス１２から構成されている。また、物理的には第１筐体１３、第２筐体１４、ヒンジ部１５から構成されている。
【００１４】
撮影部１はレンズ、ＣＭＯＳ（相補型金属酸化膜半導体）等の受光素子その他映像を撮影する為の機能を有する。本発明においては図２に表すように筐体を折り畳んだ状態でも撮影部１が露出するように第１筐体１３に設けられているものとする。
【００１５】
第１表示部２はメイン表示部であり、折り畳まれた状態の時に第１筐体１３と第２筐体１４の接触面側に設けられる。これにより、筐体が閉じられた時には第１表示部１１は外部に露出することはなく、落下等による損傷から保護されることとなる。発呼やメールの編集と言った操作者が積極的に処理を行おうとする際にはこの第１表示部２を用いて処理を行うことが多い。
【００１６】
第２表示部３は補助的な表示部である。この表示部は筐体が折り畳まれた状態の時に、外部に露出する面に設けられることで、メールの着信や電池残量といった携帯電話機の状態を継続的に操作者に伝達する用に供される。ほとんどの場合第１表示部より第２表示部のほうが表示面積は小さいが、これに拘るものではない。
【００１７】
操作部４は電話番号の入力、メールの編集などに用いられる入力手段であって、複数の操作釦等から構成されている。一般的な携帯電話機では折り畳んだ際に操作部４の主だった箇所が外部に露出しない様に第２筐体１４に設けられている。操作部４には、シャッターキー４１及びモード移行キー４２が含まれている。このシャッターキー４１を押す事で、撮影部１の受光素子の画像データを制御部５が記憶部６に保存する。またモード移行キー４２は撮影モードに移行するためのキーであり、これを押す事でシャッターキー４１による撮像が可能となる。なお、シャッターキー４１及びモード移行キー４２は筐体が閉じている際にも操作できるように第１筐体１３若しくは第２筐体１４の筐体側方に設けられていることが好ましいが、必ずしもこれに拘るものではない。
【００１８】
制御部５はＣＰＵ等から構成され、本折畳型携帯電話機１００の全体的な処理を行う。
【００１９】
記憶部６は撮影部１から送られてきた画像データを一時的に保存するＤＲＡＭ若しくは恒常的に保存するＦＬＡＳＨメモリ、本折畳型携帯電話機１００を動作させるためのプログラムを格納したＲＯＭなどから構成される。
【００２０】
音声処理部７は、本折畳型携帯電話機１００に入力された音声信号のデジタル化や図示しない基地局から送信されたデータをアナログ化等の処理を行う機能を有する。具体的には、マイク７１に入力された音声信号をデジタル化し、アンテナ８１を介して無線部８が復調したデジタル音声データを音声処理部７がアナログ化してスピーカ７１を介して外部に出力する。
【００２１】
無線部８は、図示しない基地局との間で無線信号の送受信を行う為の機能、即ち変復調や伝送路符号化処理を行う機能を有する。
【００２２】
表示制御部９は、第１表示部２及び第２表示部３の表示制御を行う。具体的には、いずれの表示部を表示するか若しくは表示しないかを切替える。また、各表示部のバックライトの光量をどの程度にするかもここで制御する。
【００２３】
開閉検出部１０は本折畳型携帯電話機１００の筐体の開閉を検出するスイッチであり、具体的には機械的スイッチやホール素子、リードスイッチ、リレー等で構成されている。筐体の開閉のいずれかもしくは双方を検知すると、開閉検出部１０は割込コントローラ１１に対して割込信号を発する様に設計することができるがが、本書においては開閉双方で割込み信号を出力することとする。また、開閉検出部１０は図示しないレジスタ（以下内部レジスタと言う）を有しており、制御部５はこのレジスタを参照することで開閉状態の確認が可能となる。
【００２４】
割込コントローラ１１はハードウェア等に関する優先順位の高い処理、例えばキー入力、等が発生した際に各デバイスから伝えられる割込要求信号（図１では操作部４及び開閉検出部１０から来る実線矢印がこれに当たる）を受けつける。新たな割込要求に関する処理と現在実施の処理との優先順位の対比を行い、新たな割込要求に関する処理の優先順位が高ければ、制御部５に対して割込要求を伝達する（図１では制御部５に対しての実線矢印がこれに当たる）。なお本発明に関連しては、開閉検出部１０及び操作部４から割込信号が出力される旨図１に記しているが、実際には他のデバイスからの割込信号も受けている。
【００２５】
バス１２は制御部５等がデータをやり取りする為の共用データ信号線群である。一般的にバス１２はアドレスバスとデータバスを共用するものと、それぞれ別個に持つものがあるが、本発明においては特にいずれかに拘るものではない。
【００２６】
第１筐体１３は本折畳型携帯電話機１００の主要な構成部材の一つである。本書においては撮影部１や第１表示部２、第２表示部３を内包することを想定しているが必ずしもこれに拘泥するものではない。
【００２７】
第２筐体１４は本折畳型携帯電話機１００の主要な構成部材の一つである。本書においては操作部４を内包することを想定している。なお、開閉検出部１０は第１筐体１３若しくは第２筐体１４のいずれかに含まれていれば良い。
【００２８】
ヒンジ部１５は第１筐体１３と第２筐体１４を接続する部分であり、ヒンジ部１５を中心に回動することで折畳動作が実現される。
【００２９】
なお、図１及び図２は本発明に直接関連性を有するもののみを図示しており、折畳型携帯電話機１００の動作に不可欠であるが本発明の説明に直接関連性を有しないものに付いては図示していない。例えば、電池等の電源部は不可欠ではあるが本図においては省略している。
【００３０】
次に、本発明の前提となるモード移行キーを押した際に、どのようにしてファインダーとして動作する撮影部を決めるか図３を用いて説明する。
【００３１】
操作者がモード移行キー４２を押下すると、割込信号が操作部４から割込コントローラ１１に出力される（ステップ３０１）。割込コントローラ１１はモード移行キーからの割込要求と現在実行している処理を対比し、割込要求に関する処理（撮影モードへの移行）が高位であれば、制御部５に対して割込信号を出力し、割込処理の開始を促す。割込要求に関する処理が低位であれば、現在実行されている処理の終了後、他の割込要求との関係に基づき（ｅｘ．高位の処理が複数ある場合にはそれが全て処理された後）、撮影モードへの移行がなされる。ここで「撮影モード」とはシャッターボタン４１を押下することでカメラ撮影が可能な状態若しくはシャッターボタン４１を押下し撮影した画像を記憶部６に記憶する直前の状態をいうものとする。
【００３２】
撮影モードへの移行がなされたら、制御部５は開閉検出部１０の内部レジスタを読みこみ、折畳型形態電話１００の筐体が開閉いずれの状態かを確認する。筐体が開かれている場合には（ステップ３０２：開）、操作者は第１表示部３を使用するものと制御部５は判断する。制御部５は第１表示部２に撮影部１からの映像を表示するよう表示制御部９に対して指示する（ステップ３０３）。一方、筐体が閉じている場合には（ステップ３０２：閉）、制御部５は第２表示部３に撮影部１からの映像を表示するよう表示制御部９に対して指示する（ステップ３０４）。
【００３３】
以上のように撮影モードに移行した際にファインダーとして使用されている表示部が、折畳型携帯電話機１００の筐体の状態が変化することにより切替えられることが本発明の目的である。以下この点について図４に基づき説明する。
【００３４】
図４は撮影モード中に筐体の開閉が行われた際、本発明においてはどのような処理を行うかを表した図である。一見すれば分かるとおり、ほとんどの動作が図３と重複するが、一部相違点があることにより特殊な効果が生じる。
【００３５】
開閉検出部１０からの割込みが生じたら（ステップ４０１）、操作部は現在撮影モードか、それともそれ以外のモードかを判断する。撮影モードでなければ（ステップ４０２：Ｎｏ）、それぞれに規定された処理を行うが、本発明においてはその処理は関知するところではない。撮影モードであるか否かの判断は直前に実行していた処理が撮影モードにおける処理であるか否かで行う。具体的には、撮影部１の動作状況を表すレジスタを用意し制御部５がそのレジスタを読むこと、若しくは割込発生時の処理内容を認識すること、によって判断することができるが、これに拘るものではない。
【００３６】
撮影モードであれば（ステップ４０２：Ｙｅｓ）、制御部５は開閉検出部１０の内部レジスタを読みこみ、折畳型形態電話１００の筐体が開閉いずれの状態かを確認する。筐体が開かれている場合には（ステップ４０３：開）、操作者は第１表示部３を使用するものと制御部５は判断する。制御部５は第１表示部２に撮影部１からの映像を表示するよう表示制御部９に対して指示する（ステップ４０４）。一方、筐体が閉じている場合には（ステップ４０３：閉）、制御部５は第２表示部３に撮影部１からの映像を表示するよう表示制御部９に対して指示する（ステップ４０５）。
【００３７】
以上のいずれの状態においてもシャッターボタン４１を押せば、シャッターボタン４１に基づく割込処理要求に基づき撮影部１のその際の画像データを記憶部６に取り込まれる。この画像データを取りこんだ状態においても、筐体の開閉に応じて表示部の切替を行えるようにすると、閉状態における撮影後の画像の確認を開状態で第１表示部２によって行えるようになる。このことで操作者がより広い画面（第１表示部２）で画像確認を容易にすることが可能になる。
【００３８】
【発明の効果】
上記の構成を取ることにより、以下の効果を発揮する。
【００３９】
第１の効果は、折畳型携帯電話機の筐体状態の変化によって、操作者に操作部の操作を行わせることなくファインダーとして使用している画面を切替えることができることである。すなわち、筐体の開閉によって割込信号を発生させ、制御部５に処理を行わせることで、動作の変更に関する操作者の介在を排除することができる点である。
【００４０】
第２の効果として、撮影後の画像を詳細に検討したい場合により広い画面を利用して見当が可能な点である。すなわち、撮影者が自身を撮影したい時には第２画面３に映った自分の姿を参考にして撮影していると考えられる。しかし、第２画面３は通常第１画面２のサイズに比して極めて小さい。そこで撮影後に筐体を開くことで操作者の処理を介在させることなく表示画面を第１画面に変更し、より広い画面で撮影画像を確認できることである。
【図面の簡単な説明】
【図１】本発明に係わる折畳型携帯情報端末の電気的構成を表すブロック図である。である。
【図２】本発明に係わる折畳型携帯情報端末を開いた際に後方から見た斜視図である。
【図３】本発明に係わる折畳型携帯電話機が撮影モードに移行する際のフローチャートである。
【図４】本発明に係わる折畳型携帯電話機が撮影モード中に筐体を開閉させた際のフローチャートである。
【図１】
2005012528.tif 000003
【図２】
2005012528.tif 000004
【図３】
2005012528.tif 000005
【図４】
2005012528.tif 000006